(57)【要約】【課題】可動枠が閉じられた状態において、固定枠の幕板と可動枠との間の隙間の状況を電気的に監視して、不正行為防止を図る。【解決手段】制御装置１７が電力供給で起動して検出器１２に動作電力を供給した状態において、人がピアノ線または硬貨などの不正操作部材１８を遊技機枠１の前側から隙間１１に挿入した場合、不正操作部材１８が可動体１４を弾性体１６の弾性に抗して押し動かすのに伴い、可動体１４が釦１３を押し動かすことで、検出器１２がオン動作して異物侵入信号を制御装置１７に出力し、制御装置１７が報知器１９を駆動し、報知器１９が不正操作部材１８の隙間１１への侵入を報知する。【選択図】        図１
2004187852.tif 000002
【特許請求の範囲】
【請求項１】
遊技店の遊技機設置設備に取り付けられる固定枠と、固定枠の前面下部に設けられた幕板と、幕板よりも上方における固定枠の前側に前側横方向に片開き可能に取り付けられた可動枠と、幕板と可動枠との間に形成される隙間に異物の侵入したことを検出する検出器とを備えたことを特徴とする遊技機。
【請求項２】
検出器の検出情報で異物の侵入を報知する報知器を遊技機枠または遊技機枠に格納される遊技盤に備えたことを特徴とする請求項１記載の遊技機。
【請求項３】
検出器の検出情報を遊技店の管理装置に出力する出力装置を備えたことを特徴とする請求項１記載の遊技機。
【発明の詳細な説明】
【０００１】
【発明の属する技術分野】
本発明はパチンコ機やスロットマシンなどの遊技の結果として換金性の有る遊技媒体を賞として遊技者に払い出す遊技機であって、遊技機の前側から幕板と可動枠との間に形成される隙間に硬貨やピアノ線などの異物が挿入されたことを検出する構造に関する。
【０００２】
【従来の技術】
従来のパチンコ機に用いられる遊技機枠は額縁状の固定枠が前面下部に幕板を備え、幕板よりも上部における固定枠の前側に額縁状の可動枠がヒンジで前側横方向に片開き可能に取り付けられている（例えば、特許文献１参照）。
【０００３】
【特許文献１】
特開平９−１３１４５７号公報（第２頁、段落番号００１２、図１）
【０００４】
【発明が解決しようとする課題】
しかしながら、可動枠は遊技盤、タンクを含む払出機構、受皿、発射操作機構、発射機構、制御装置、飾り枠などの全部の部品が取り付けられて重量が２０ｋｇ程度と重いことから、ヒンジが金属製で厚い材料で形成されている。また、固定枠側のヒンジは幕板と固定枠との結合強度を確保することから、幕板の上面と固定枠の内側面とに跨って取り付けられた構造になっている。このため、固定枠にヒンジで取り付けられた可動枠が閉じられた場合、幕板の上面と可動枠の下面との間にはヒンジの厚さによる隙間が数ミリ程度形成される。そのようなことから、少数の心ない遊技者がピアノ線のような不正操作部材を遊技機枠の前側から上記隙間を利用して遊技機枠の裏側に挿入し、裏側の制御装置や払出機構などに不正行為を行ったり、または、硬貨を挿入して可動枠を傾けることで球を入賞部品に入賞しやすくする不正行為を行ったりすることがあるという問題点があった。
【０００５】
そこで、本発明は、可動枠が閉じられた状態において、固定枠の幕板と可動枠との間の隙間の状況を電気的に監視することで、不正行為を防止することができる遊技機枠を提供するものである。
【０００６】
【課題を解決するための手段】
本発明にあっては、遊技店の遊技機設置設備に取り付ける固定枠と、固定枠の前面下部に設けられた幕板と、幕板よりも上方における固定枠の前側に前側横方向に片開き可能に取り付けられた可動枠と、幕板と可動枠との間に形成される隙間に異物の侵入したことを検出する検出器とを備えたことによって、人がピアノ線または硬貨などの不正操作部材を遊技機の前側から上記隙間に挿入した場合、検出器が異物侵入を検出して報知器を駆動し、報知器が不正操作部材の上記隙間への侵入を報知するので、遊技機における裏側の制御装置や払出機構などに対する不正行為または可動枠を傾けることで球を入賞部品に入賞しやすくする不正行為を防止することができ、遊技機の品質信頼性を向上することができる。また、本発明にあっては、検出器の検出情報で異物の侵入を報知する報知器を遊技機枠または遊技機枠に格納される遊技盤に備えれば、報知器を遊技演出および報知の双方で有効に活用することができる。また、本発明にあっては、検出器の検出情報を遊技店の管理装置に出力する出力装置を備えれば、遊技店での店管理も楽になる。
【０００７】
【発明の実施の形態】
図１は第１実施形態であって、ａ図は遊技機枠１の正面を示し、ｂ図はａ図をＡ−Ａ線で切断した断面を示す。
【０００８】
図１のａ図を参照し、遊技機枠１について説明する。遊技機枠１では額縁状の固定枠２が前面下部に幕板３を備え、幕板３よりも上部における固定枠２の前側に額縁状の可動枠４がヒンジ５で前側横方向に片開き可能に取り付けられる。固定枠２は遊技店の遊技機設置設備に取り付けるための枠である。可動枠４には図外の遊技盤が交換可能に取り付けられる。可動枠４の下部前側には図外の発射機構を備える。可動枠４の裏側には図外のタンクを含む払出機構を備える。可動枠４は前側に遊技盤の前側を覆う飾り枠６、受皿７、発射操作機構８を備える。
【０００９】
可動枠４は固定枠２に設けられた施錠装置９に図外の鍵（キープレート）を差し込んで、鍵を例えば右側に９０度回転操作することで、施錠装置９が固定枠２と可動枠４とを掛け止めている図外のロック機構をアンロックに動作する。このアンロック下において、人が可動枠４を前側に開くことが可能となる。可動枠４が開かれた状態において、人が鍵を施錠装置９から抜き、可動枠４を後側に閉じることで、可動枠４が固定枠２にロック機構でロックされると、可動枠４は開けられなくなる。
【００１０】
飾り枠６は中央にガラスまたは合成樹脂からなる透過性パネル１０を備える。飾り枠６は可動枠４または固定枠２に図外のヒンジで前側横方向に片開き可能に取り付けられる。飾り枠６は上記施錠装置９に差し込まれた鍵を例えば左側に９０度回転操作することで、施錠装置９が固定枠２と飾り枠６とを掛け止めている図外のロック機構をアンロックに動作する。このアンロック下において、人が飾り枠６を前側に開くことが可能となる。飾り枠６が開かれた状態において、人が鍵を施錠装置９から抜き、飾り枠６を後側に閉じることで、飾り枠６が固定枠２にロック機構でロックされると、飾り枠６は開けられなくなる。
【００１１】
受皿７は可動枠４に図外のヒンジで前側横方向に片開き可能に取り付けられる。飾り枠６が開かれた状態において、人がロック操作体を操作することで、受皿７を開くことが可能となる。可動枠４と飾り枠６および受皿７が閉じられ、受皿７に球が入れられ、可動枠４の裏側または遊技盤の裏側に設けられた制御装置１７が電力供給で起動した状態において、人が発射操作機構８は例えば右回りに回転操作すると、発射機構が受皿７から供給された球を１個ずつ遊技盤の遊技領域に向けて発射する。遊技領域に発射された球が遊技領域に配置された入賞部品に入賞すると、払出機構が換金性の有る賞としての球を受皿７に払い出す。
【００１２】
とりわけ、図１のｂ図にも示すように、第１実施形態の場合、幕板３と可動枠４との間に形成される隙間１１に異物の侵入したことを検出する検出器１２を備える。具体的には、固定枠２に検出器１２と可動体１４とが取り付けられる。可動体１４が固定枠２にガイド機構１５で前後方向に移動可能に取り付けられるとともに、ばねまたはゴムのような弾性体１６で前方に付勢されてガイド機構１５で前位置に停止されることで、検出器１２の釦１３への押圧を解除する。この釦１３への押圧解除に伴い、検出器１２は内蔵した図外の可動接点と固定接点とが非接触なオフ動作であるとする。可動枠４が図外のロック機構で固定枠２に閉じられた形態において、可動枠４は上記前位置に停止している可動体１４と非接触な状態である。
【００１３】
そして、制御装置１７が電力供給で起動して検出器１２に動作電力を供給した状態において、人がピアノ線または硬貨などの不正操作部材１８を遊技機枠１の前側から隙間１１に挿入した場合、不正操作部材１８が可動体１４を弾性体１６の弾性に抗して押し動かすのに伴い、可動体１４が釦１３を押圧することで、検出器１２がオン動作して異物侵入信号を制御装置１７に出力する。すると、制御装置１７が遊技機枠１に設けられた報知器１９を駆動し、報知器１９が不正操作部材１８の隙間１１への侵入を報知する。よって、裏側の制御装置１７や払出機構などに対する不正行為または可動枠を傾けることで球を入賞部品に入賞しやすくする不正行為を防止することができ、遊技機の品質信頼性を向上することができる。報知器１９は専用のスピーカや表示灯を用いてもよいが、遊技機枠１または遊技盤に設けられた演出用のスピーカ２０または表示灯２１を使用すれば、スピーカ２０または表示灯２１を遊技演出および報知の双方で有効に活用することができる。また、制御装置１７には不正操作部材１８の隙間１１への侵入した検出情報を遊技機枠１の外部へ出力する出力装置２２が設けられ、出力装置２２が検出器１２の検出情報を遊技店のホールコンピュータのような管理装置に出力すれば、上記不正行為を即座に把握することができ、遊技店の店管理も楽になる。
【００１４】
図２は第２実施形態に係る遊技機枠１の隙間１１周りの正面を示し、隙間１１の一方の端部に検出器２３の発光素子２４を配置し、隙間１１の他方の端部に検出器２３の受光素子２５を配置し、制御装置１７から供給された動作電力で発光素子２４が赤外線またはレーザなどの光Ｌ１を発光し、受光素子２５が発光素子２４からの光Ｌ１を受光して正常検出信号を制御装置１７に出力する。そして、制御装置１７が受光素子２５から正常検出信号を受信していれば、隙間１１に不正操作部材１８が侵入されていないと判断する。その状態において、不正操作部材１８が隙間１１に侵入すると、不正操作部材１８が発光素子２４から受光素子２５への光Ｌ１を遮断し、受光素子２５の受光量が減少して、受光素子２５が異常検出信号を制御装置１７に出力する。そして、制御装置１７が受光素子２５から異常検出信号を受信すると、隙間１１に不正操作部材１８が侵入されたと判断し、報知器１９を駆動する。発光素子２４および受光素子２５が可動枠４に設けられてもよいが、固定枠２に設けられれば、可動枠４を開閉しても制御装置１７と検出器２３と配線が移動しないので、配線の損傷が少ない。
【００１５】
図３は第３実施形態に係る遊技機枠１の隙間１１周りの断面を示し、隙間１１の距離の変化を反射式の検出器２６で測定する形態である。例えば、検出器２６が可動枠４の裏側に固定される。そして、制御装置１７から供給された動作電力で検出器２６の発光素子２７が赤外線またはレーザなどの光Ｌ２を幕板３の上面に照射し、検出器２６の受光素子２８が幕板３の上面からの反射した光Ｌ２を受光して正常検出信号を制御装置１７に出力する。そして、制御装置１７が受光素子２８から正常検出信号を受信していれば、隙間１１に不正操作部材１８が侵入されていないと判断する。その状態において、不正操作部材１８が隙間１１に侵入したことで、可動枠４が図１のヒンジ５を中心として上方に傾いて、隙間１１の距離が大きくなると、受光素子２８における反射した光Ｌ２の受光量が減少して、受光素子２８が異常検出信号を制御装置１７に出力する。すると、制御装置１７が報知器１９を駆動する。
【００１６】
図４は第４実施形態に係る遊技機枠１の隙間１１周りの断面を示し、可動枠４に検出器１２と可動体２９とが取り付けられる。可動体２９が可動枠４にガイド機構１５で上下方向に移動可能に取り付けられるとともに、ばねまたはゴムのような弾性体１６で下方に付勢されてガイド機構１５で下位置に停止されることで、検出器１２の釦１３への押圧を解除する。この可動体２９の釦１３への押圧解除に伴い、検出器１２は内蔵した図外の可動接点と固定接点とが非接触なオフ動作であるとする。可動枠４が図外のロック機構で固定枠２に閉じられた形態において、幕板３は上記下位置に停止している可動体２９と非接触な状態である。
【００１７】
そして、制御装置１７が電力供給で起動して検出器１２に動作電力を供給した状態において、人がピアノ線または硬貨などの不正操作部材１８を遊技機枠１の前側から隙間１１に挿入した場合、不正操作部材１８が可動体２９の斜面３０を矢印Ｘ１で示す方向に押し、それに伴い、可動体２９が弾性体１６の弾性に抗して矢印Ｘ２で示す上方に移動して釦１３を押し動かすことで、検出器１２がオン動作して異物侵入信号を制御装置１７に出力する。すると、制御装置１７が報知器１９を駆動する。
【図面の簡単な説明】
【図１】第１実施形態であって、ａ図は遊技機枠の正面を含む模式図、ｂ図はａ図のＡ−Ａ線断面図。
【図２】第２実施形態の隙間周りの正面を含む模式図。
【図３】第３実施形態の隙間周りの縦断面を含む模式図。
【図４】第４実施形態の隙間周りの縦断面を含む模式図。
【符号の説明】
２  固定枠
３  幕板
４  可動枠
１１  隙間
１２  検出器
１９  報知器
２２  出力装置
２３  検出器
２６  検出器
【図１】
2004187852.tif 000003
【図２】
2004187852.tif 000004
【図３】
2004187852.tif 000005
【図４】
2004187852.tif 000006